(57)【要約】【課題】バケット内での作業環境を改善した共用操作棒を提供する。【解決手段】送風機１０は、共用操作棒７の基端部に設けたジョイント部７４と着脱自在に接続できる。送風機１０は、接続具１と筒形ケース２１で外殻を構成した送風機本体２を備える。接続具１は、ジョイント部７４と直列に接続できる。送風機本体２は、接続具１を先端部側に直列に結合している。送風機本体２は、モータ２２と三つの電池２３を内部に備える。モータ２２は、出力軸にファン２２ｆを取り付けている。電池２３は、モータ２２に電力を供給できる。筒形ケース２１は、複数の送風口２１ａと吸気口２１ｂを有する。送風口２１ａは、接続具１の外周に向かって開口し、吸気口２１ｂは、筒形ケース２１の外周に開口している。モータ２２は、ファン２２ｆを回転し、複数の送風口２１ａに向かって送風できる。【選択図】図１
2018082518.tif 000002
【特許請求の範囲】
【請求項１】
用途の異なる先端工具を接続自在な工具部を先端部に有し、他の前記工具部を接続自在な円筒状のジョイント部を基端部に有する長尺の共用操作棒の前記ジョイント部と着脱自在に接続する共用操作棒用送風機であって、
前記ジョイント部と直列に接続自在な円柱状の接続具と、
この接続具を先端部側に直列に結合し、筒形ケースで外殻を構成した送風機本体と、を備え、
前記送風機本体は、
出力軸にファンを取り付けたモータと、
このモータに電力を供給する一つ以上の電池と、を内部に有し、
前記筒形ケースは、
前記接続具の外周に向かって一端面に開口した複数の送風口と、
外周に開口した複数の吸気口と、を有し、
前記モータは、前記ファンを回転し、複数の前記送風口に向かって送風できる、共用操作棒用送風機。
【請求項２】
前記筒形ケースは、互いに螺合自在に連結できると共に、前記モータを収容自在な第１筒体と、前記電池を収容自在な第２筒体で構成している、請求項１記載の共用操作棒用送風機。
【請求項３】
前記送風機本体は、前記電池から前記モータに電力を供給する接続状態と、前記電池から前記モータに電力を供給しない遮断状態に切り換える切り換えスイッチを更に備える、請求項１又は２記載の共用操作棒用送風機。
【請求項４】
前記送風機本体は、前記電池の外周を互いに当接した状態で三つの前記電池を収容自在な円筒状の電池ケースを更に備え、
この電池ケースは、これらの電池を電気的に直列に接続する一対の端子板を両端部に有する、請求項１から３のいずれかに記載の共用操作棒用送風機。
【発明の詳細な説明】
【技術分野】
【０００１】
本発明は、共用操作棒用送風機に関する。特に、用途の異なる先端工具を共用できる共用操作棒の基端部に着脱自在に接続する送風機であって、共用操作棒の基端部から手許部に向かって軸方向に送風できる共用操作棒用送風機の構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事を行なうことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、用途に対応して、先端工具を交換できるように構成している。
【０００４】
上述したような、用途の異なる先端工具を共用できる、いわゆる共用操作棒が開示されている（例えば、特許文献１参照）。
【先行技術文献】
【特許文献】
【０００５】
【特許文献１】特開２０１１−２４４５５２号公報
【発明の概要】
【発明が解決しようとする課題】
【０００６】
図５は、一例による共用操作棒の構成を示す正面図である。図６は、図５の先端部側及び基端部側を拡大した斜視図である。なお、本願の図５は、特許文献１の図６に相当している。
【０００７】
図５を参照すると、一例による共用操作棒７は、工具部７１、柄部７２、及び手許部７３を備えている。工具部７１には、後述する菊座アダプター６を介して（図７参照）、バインド打ち器８などの先端工具を着脱自在となっている（図８参照）。手許部７３は、作業員が把持し易いように滑り止めを施こしている。柄部７２は、工具部７１と手許部７３とを連結し、絶縁性を有する長尺の管体からなっている。
【０００８】
図５を参照すると、柄部７２は、円錐体状の水切り鍔７ａを中間部に取り付けている。水切り鍔７ａは、工具部７１から進出する水を堰き止めることができる。又、柄部７２と手許部７３との接続部には、円錐体状の限界鍔７ｂを取り付けている。限界鍔７ｂの取り付け位置は、絶縁性を考慮して、共用操作棒７を安全に作業できる限界を示している。
【０００９】
図５又は図６を参照すると、工具部７１は、円柱状の軸部７１ａと一対のピン７１ｂ・７１ｂを備えている。又、工具部７１は、プッシュロッド７１ｃと及びリングナット７１ｄを有している。軸部７１ａは、柄部７２の軸方向に突出している。一対のピン７１ｂ・７１ｂは、相反する向きに軸部７１ａの外周から突出している。
【００１０】
図６を参照すると、プッシュロッド７１ｃは、工具部７１に内蔵された圧縮コイルばね（図示せず）によって、力を付勢され、軸部７１ａの先端面から突出している。
【００１１】
図６を参照すると、リングナット７１ｄは、軸部７１ａの下方に配置されている。リングナット７１ｄは、軸部７１ａと螺合している。リングナット７１ｄを一方の方向に回転すると、後述する菊座アダプター６のジョイント部６１の底面に当接して（図７参照）、菊座アダプター６を固定できる。リングナット７１ｄを他方の方向に回転すると、後述する菊座アダプター６のジョイント部６１の底面（図７参照）からリングナット７１ｄが離れて、菊座アダプター６を解放できる。
【００１２】
図６を参照すると、リングナット７１ｄは、軸部７１ａの下方に配置されている。リングナット７１ｄは、軸部７１ａと螺合している。リングナット７１ｄを一方の方向に回転すると、後述する菊座アダプター６のジョイント部６１の底面に当接して（図７参照）、菊座アダプター６を固定できる。リングナット７１ｄを他方の方向に回転すると、後述する菊座アダプター６のジョイント部６１の底面（図７参照）からリングナット７１ｄが離れて、菊座アダプター６を解放できる。
【００１３】
又、図５又は図６を参照すると、ジョイント部７４には、一対のＴ字状の係合溝７４ｂ・７４ｂを有している。別の共用操作棒７の一対のピン７１ｂ・７１ｂを軸穴７４ａの軸方向に挿入した後に、これらのピン７１ｂ・７１ｂを軸穴７４ａの周方向に回動することで、これらのピン７１ｂ・７１ｂを係合溝７４ｂ・７４ｂに係合できる。つまり、図５に示した共用操作棒７には、別の共用操作棒７を継ぎ足しできる。
【００１４】
上述したような係合手段は、ツイストロックと呼ばれている。そして、図５又は図６を参照して、別の工具部７１とジョイント部７４が嵌合した状態では、プッシュロッド７１ｃが軸穴７４ａの上壁を弾圧すると共に、リングナット７１ｄが軸穴７４ａの底面に当接して、ジョイント部７４に別の工具部７１を確実に固定できる。
【００１５】
例えば、図５又は図６を参照して、共用操作棒７の工具部７１には、菊座アダプターを介して、フック形状のバインド打ち器などの先端工具を取り付けることができる。
【００１６】
図７は、菊座アダプターの構成を示す正面図である。図８は、バインド打ち器の構成を示す図であり、図８（Ａ）は、バインド打ち器の正面図、図８（Ｂ）は、バインド打ち器の左側面図である。
【００１７】
図７を参照すると、菊座アダプター６は、共用操作棒７の工具部７１に着脱自在に取り付けできる（図５又は図６参照）。菊座アダプター６は、円筒状のジョイント部６１と菊座部６２で構成している。ジョイント部６１は、菊座アダプター６の基端部側に設けられている。一方、菊座部６２は、菊座アダプター６の先端部側に設けられている。
【００１８】
図７を参照すると、菊座アダプター６は、共用操作棒７の工具部７１に着脱自在に取り付けできる（図５又は図６参照）。菊座アダプター６は、円筒状のジョイント部６１と菊座部６２で構成している。ジョイント部６１は、菊座アダプター６の基端部側に設けられている。一方、菊座部６２は、菊座アダプター６の先端部側に設けられている。
【００１９】
図５から図７を参照して、工具部７１とジョイント部６１が嵌合した状態では、プッシュロッド７１ｃが軸穴６１ａの上壁を弾圧すると共に、リングナット７１ｄが軸穴６１ａの底面に当接して、菊座アダプター６を工具部７１に確実に固定できる。
【００２０】
図５又は図６に示した共用操作棒７は、間接活線工事に好適な絶縁操作棒の一種であるが、異なる用途の先端工具を接続自在に共用できることから、特に、「共用操作棒」と呼ばれている。
【００２１】
図７を参照すると、菊座部６２は、略円形の菊座６２ａと雄ねじ６２ｂを備えている。菊座６２ａは、その表面から僅かに突出する複数の凸条６２１を円周上に配列している。雄ねじ６２ｂは、菊座６２ａの略中心から立設している。又、雄ねじ６２ｂには、蝶ナット６３が螺合している。
【００２２】
一方、図８を参照すると、バインド打ち器８は、円板状の菊座部８ｂを基端部に備えている。菊座部８ｂの中央部に雄ねじ６２ｂを挿通すると共に、蝶ナット６３を雄ねじ６２ｂに締結することで（図７参照）、共用操作棒７が延びる方向に対して、任意の角度でバインド打ち器８を固定できる（図５参照）。
【００２３】
図８を参照すると、バインド打ち器８は、棒状の軸部８ｓとフック部８ａを備えている。フック部８ａは、軸部８ｓから連続して、Ｃ字状に屈曲している。又、バインド打ち器８は、円柱状のピン部８ｐを備えている。ピン部８ｐは、フック部８ａの開口８ｋと反対側に、軸部８ｓから突出している。なお、バインド打ち器の名称は、高圧配電線を碍子に支持するバインド線を操作できることに由来している。
【００２４】
次に、共用操作棒を含む絶縁操作棒の使用例を説明する。図９は、共用操作棒を含む絶縁操作棒の使用状態を示す斜視図であり、複数の絶縁操作棒を用いて、防護管を保持した状態図である。
【００２５】
図９を参照すると、バケットＢには、二人の作業員Ｍ・Ｍが搭乗している。一方の作業員Ｍは、第１の絶縁操作棒Ｈ１を用いて、一組の電柱Ｐ・Ｐに架設された電線Ｗに防護管保持装置１００を挟持している。なお、電線Ｗには、最初の防護管９が装着され、次の防護管９が接続部されるべく待機している。第２の絶縁操作棒Ｈ２は、その基端部がバケットＢに固定されている。
【００２６】
図９を参照すると、他方の作業員Ｍは、第３の絶縁操作棒Ｈ３及び第４の絶縁操作棒Ｈ４を用いて、次の防護管９を保持している。第３の絶縁操作棒Ｈ３は、２本のポールｐ１・ｐ２が立設した二股状の先端工具を有し、防護管９を持ち上げことができ、防護管９の向きを変えることができる。第４の絶縁操作棒Ｈ４は、把持工具を先端部に取り付けた、いわゆる、「絶縁ヤットコ」であって、防護管９を保持することができる。
【００２７】
図９に示すように、作業員は、箱状のバケットＢに搭乗して、絶縁操作棒を操作している。しかし、これらの間接活線工事は、屋外での作業であり、炎天下などの作業では、バケットＢの内部に熱がこもり、作業が促進しないという問題があった。
【００２８】
バケット内での作業環境を改善した共用操作棒が求められていた。そして、以上のことが本発明の課題といってよい。
【００２９】
本発明は、このような課題に鑑みてなされたものであり、バケット内での作業環境を改善した共用操作棒を提供することを目的とする。
【課題を解決するための手段】
【００３０】
本発明者は、共用操作棒の末端部に送風機を連結し、共用操作棒の手許部に向かって送風することで、作業員の体感温度を下げることができると考え、これに基づいて、以下のような新たな共用操作棒用送風機を発明するに至った。
【００３１】
（１）本発明による共用操作棒用送風機は、用途の異なる先端工具を接続自在な工具部を先端部に有し、他の前記工具部を接続自在な円筒状のジョイント部を基端部に有する長尺の共用操作棒の前記ジョイント部と着脱自在に接続する共用操作棒用送風機であって、前記ジョイント部と直列に接続自在な円柱状の接続具と、この接続具を先端部側に直列に結合し、筒形ケースで外殻を構成した送風機本体と、を備え、前記送風機本体は、出力軸にファンを取り付けたモータと、このモータに電力を供給する一つ以上の電池と、を内部に有し、前記筒形ケースは、前記接続具の外周に向かって一端面に開口した複数の送風口と、外周に開口した複数の吸気口と、を有し、前記モータは、前記ファンを回転し、複数の前記送風口に向かって送風できる。
【００３２】
（２）前記筒形ケースは、互いに螺合自在に連結できると共に、前記モータを収容自在な第１筒体と、前記電池を収容自在な第２筒体で構成していることが好ましい。
【００３３】
（３）前記送風機本体は、前記電池から前記モータに電力を供給する接続状態と、前記電池から前記モータに電力を供給しない遮断状態に切り換える切り換えスイッチを更に備えることが好ましい。
【００３４】
（４）前記送風機本体は、前記電池の外周を互いに当接した状態で三つの前記電池を収容自在な円筒状の電池ケースを更に備え、この電池ケースは、これらの電池を電気的に直列に接続する一対の端子板を両端部に有することが好ましい。
【発明の効果】
【００３５】
本発明による共用操作棒用送風機は、共用操作棒の末端部に送風機を連結し、共用操作棒の手許部に向かって送風することで、作業員の体感温度を下げることができる。
【図面の簡単な説明】
【００３６】
【図１】本発明の一実施形態による共用操作棒用送風機の構成を示す斜視分解組立図である。
【図２】前記実施形態による共用操作棒用送風機の構成を示す図であり、図２（Ａ）は、共用操作棒用送風機の正面図、図２（Ｂ）は、図２（Ａ）のＡ−Ａ矢視断面図、図２（Ｃ）は、図２（Ａ）のＢ−Ｂ矢視断面図、である。
【図３】前記実施形態による共用操作棒用送風機の構成を示す図であり、図３（Ａ）は、共用操作棒用送風機の正面図、図３（Ｂ）は、共用操作棒用送風機の下面図、図３（Ｃ）は、図３（Ａ）の縦断面図、図３（Ｄ）は、図３（Ｃ）のＣ−Ｃ矢視断面図である。
【図４】第１実施形態による間接活線工事用クリップ式バインドの構成を示す下面図である。
【図５】一例による共用操作棒の構成を示す正面図である。
【図６】図５の先端部側及び基端部側を拡大した斜視図である。
【図７】菊座アダプターの構成を示す正面図である。
【図８】バインド打ち器の構成を示す図であり、図８（Ａ）は、バインド打ち器の正面図、図８（Ｂ）は、バインド打ち器の左側面図である。
【図９】共用操作棒を含む絶縁操作棒の使用状態を示す斜視図であり、複数の絶縁操作棒を用いて、防護管を保持した状態図である。
【発明を実施するための形態】
【００３７】
以下、図面を参照して本発明を実施するための形態を説明する。
［共用操作棒用送風機の構成］
最初に、本発明の一実施形態による共用操作棒用送風機の構成を説明する。
【００３８】
図１は、本発明の一実施形態による共用操作棒用送風機の構成を示す斜視分解組立図である。
【００３９】
図２は、前記実施形態による共用操作棒用送風機の構成を示す図であり、図２（Ａ）は、共用操作棒用送風機の正面図、図２（Ｂ）は、図２（Ａ）のＡ−Ａ矢視断面図、図２（Ｃ）は、図２（Ａ）のＢ−Ｂ矢視断面図、である。
【００４０】
図３は、前記実施形態による共用操作棒用送風機の構成を示す図であり、図３（Ａ）は、共用操作棒用送風機の正面図、図３（Ｂ）は、共用操作棒用送風機の下面図、図３（Ｃ）は、図３（Ａ）の縦断面図、図３（Ｄ）は、図３（Ｃ）のＣ−Ｃ矢視断面図である。
【００４１】
図４は、前記実施形態による共用操作棒用送風機の構成を示す正面図であり、共用操作棒用送風機を共用操作棒の基端部に接続した状態図である。
【００４２】
なお、従来技術で使用した符号と同じ符号を有する構成品は、その作用を同じとするので、以下説明を省略することがある。
【００４３】
（全体構成）
次に、本発明の一実施形態による共用操作棒用送風機の全体構成を説明する。図１から図４を参照すると、本発明の一実施形態による共用操作棒用送風機（以下、送風機と略称する）１０は、共用操作棒７の基端部に設けたジョイント部７４と着脱自在に接続できる。
【００４４】
図１から図３を参照すると、送風機１０は、円柱状の接続具１と筒形ケース２１で外殻を構成した送風機本体２を備えている。接続具１は、ジョイント部７４と直列に接続できる（図４参照）。
【００４５】
図１から図３を参照すると、送風機本体２は、モータ２２と三つの電池２３を内部に備えている。モータ２２は、その出力軸にファン２２ｆを取り付けている。電池２３は、モータ２２に電力を供給できる。
【００４６】
図１から図３を参照すると、筒形ケース２１は、複数の送風口２１ａと複数の吸気口２１ｂを有している。送風口２１ａは、接続具１の外周に向かって、筒形ケース２１の一端面に開口している。吸気口２１ｂは、筒形ケース２１の外周に開口している。
【００４７】
図３を参照すると、モータ２２は、ファン２２ｆを回転し、複数の送風口２１ａに向かって送風できる。
【００４８】
図１又は図３を参照すると、実施形態による送風機１０は、ファン２２ｆを回転し、複数の送風口２１ａに向かって送風できるモータ２２を筒形ケース２１の内部に備えているので、共用操作棒７の手許部７３を把持した手Ｈに送風でき（図４参照）、作業員の体感温度を下げることができる。
【００４９】
又、実施形態による送風機１０は、バケットＢの内部の空気を大気に放出する効果も期待できる（図９参照）。
【００５０】
（接続具の構成）
次に、実施形態による接続具１の構成を説明する。図１又は図２（Ａ）を参照すると、接続具１は、円柱状の軸部１１ａと一対のピン１１ｂ・１１ｂを備えている。又、接続具１は、プッシュロッド１１ｃと及びリングナット１１ｄを有している。軸部７１ａは、接続部１２の軸方向に突出している。一対のピン７１ｂ・７１ｂは、相反する向きに軸部７１ａの外周から突出している。
【００５１】
図１又は図２（Ａ）を参照すると、プッシュロッド１１ｃは、接続具１に内蔵された圧縮コイルばね（図示せず）によって、力を付勢され、軸部１１ａの先端面から突出している。
【００５２】
図１又は図２（Ａ）を参照すると、リングナット１１ｄは、軸部１１ａの下方に配置されている。リングナット１１ｄは、軸部７１ａと螺合している。リングナット１１ｄを一方の方向に回転すると、共用操作棒７のジョイント部７４の底面に当接して（図６参照）、共用操作棒７と連結できる（図４参照）。リングナット１１ｄを他方の方向に回転すると、共用操作棒７のジョイント部７４の底面（図６参照）からリングナット１１ｄが離れて、共用操作棒７との接続を解除できる。
【００５３】
図１又は図２（Ａ）及び図５又は図６を参照して、接続具１の一対のピン１１ｂ・１１ｂを軸穴７４ａの軸方向に挿入した後に、これらのピン１１ｂ・１１ｂを軸穴７４ａの周方向に回動することで、これらのピン１１ｂ・１１ｂを係合溝７４ｂ・７４ｂに係合できる。つまり、図５に示した共用操作棒７には、接続具１を着脱自在に接続できる。
【００５４】
図１を参照すると、接続具１は、円柱状の接続部１２の底面から雄ねじ部１２ａを突出している。一方、筒形ケース２１は、雄ねじ部１２ａを挿通自在な止め穴２１ｈを中心部に開口している。
【００５５】
図１を参照して、雄ねじ部１２ａを止め穴２１ｈに挿通した後に、雄ねじ部１２ａにナット１２ｎを締結することで（図３（Ｃ）参照）、送風機本体２の先端部側に接続具１を直列に結合しできる。
【００５６】
（筒形ケースの構成）
次に、実施形態による筒形ケース２１の構成を説明する。図１からは図３を参照すると、筒形ケース２１は、第１筒体２１１と第２筒体２１２で構成している。第１筒体２１１には、ファン２２ｆ付きモータ２２を収容できる。第２筒体２１２には、三つの電池２３を収容した電池ケース２５を収容できる。
【００５７】
図１又は図３（Ｃ）を参照すると、第１筒体２１１は、雌ねじ部２１ｆを他端部の内壁に形成している。一方、図１を参照すると、第２筒体２１２は、雄ねじ部２１ｍを一端部の外壁に形成している。雌ねじ部２１ｆには雄ねじ部２１ｍをでき（図３（Ｃ）参照）、第１筒体２１１と第２筒体２１２とを互いに螺合自在に連結できる。
【００５８】
図２（Ｃ）又は図３（Ｃ）を参照すると、第１筒体２１１は、複数の段差付きリブ２１３を内壁から突出している。モータ２２は、その外周がこれらリブ２１３により保持されている。又、モータ２２の端面がリブ２１３の段差に当接することで、第１筒体２１１に対するモータ２２の軸方向の位置が規定される（図３（Ｃ）参照）。
【００５９】
図３（Ｂ）又は図３（Ｃ）を参照すると、第２筒体２１２は、他端部の底部を閉塞している。そして、第２筒体２１２は、導電性を有する線体を巻き回した渦巻ばね２１ｓを底部に固定している（図３（Ｃ）参照）。渦巻ばね２１ｓは、電池ケース２５を介して、モータ２２をリブ２１３の段差に押圧する力を付勢している。
【００６０】
図３（Ｃ）を参照すると、渦巻ばね２１ｓは、電池２３の負極側に電気的に接続する負極端子となっている。一方、第２筒体２１２は、その軸方向に沿って、帯状の導電板２１ｅを内壁に貼り付けている。
【００６１】
図３（Ｃ）を参照すると、導電板２１ｅの一端部は、渦巻ばね２１ｓに電気的に接続している。導電板２１ｅの他端部は、モータ２２の負極端子２２１に電気的に接続自在になっている（図２（Ｃ）参照）。なお、モータ２２の陽極端子２２２は、電池２３の陽極側に電気的に接続自在に構成している。
【００６２】
（切り換えスイッチの構成）
次に、実施形態による切り換えスイッチ２４の構成を説明する。図１からは図３を参照すると、第２筒体２１２は、切り換えスイッチ２４を更に備えている。切り換えスイッチ２４は、電池２３からモータ２２に電力を供給する接続状態と、電池２３からモータ２２に電力を供給しない遮断状態に切り換えることができる。
【００６３】
図３を参照すると、切り換えスイッチ２４は、実体として、スライドスイッチで構成している。そして、切り換えスイッチ２４は、可動端子板２４ｔを底部に配置している（図３（Ｃ）参照）。可動端子板２４ｔは、導電板２１ｅの経路の途上に配置されている（図３（Ｃ）参照）。
【００６４】
図３（Ｃ）を参照して、切り換えスイッチ２４を一方の方向に移動すると、可動端子板２４ｔが分断した導電板２１ｅを接続でき、電池２３からモータ２２に電力を供給できる。一方、切り換えスイッチ２４を他方の方向に移動すると、可動端子板２４ｔが導電板２１ｅを分断でき、電池２３からモータ２２に電力を供給しない遮断状態に切り換えることができる。
【００６５】
（電池ケースの構成）
次に、実施形態による電池ケース２５の構成を説明する。図１又は図３（Ｃ）及び図３（Ｄ）を参照すると、送風機本体２は、円筒状の電池ケース２５を更に備えている。電池ケース２５は、単３乾電池からなる三つの円筒状の電池２３の外周を互いに当接した状態で、三つの電池２３を収容できる。
【００６６】
又、図１又は図３（Ｃ）及び図３（Ｄ）を参照すると、電池ケース２５は、三つの電池２３を電気的に直列に接続する一対の略円形の端子板２５ａ・２５ｂを両端部に有している。一方の端子板２５ａは、三つの電池２３を電気的に直列に接続する陽極端子板になっている。そして、一方の端子板２５ａは、モータ２２の陽極端子２２２に接続自在になっている（図３（Ｃ）参照）。
【００６７】
図３（Ｃ）及び図３（Ｄ）を参照すると、他方の端子板２５ｂは、三つの電池２３を電気的に直列に接続する負極端子板になっている。そして、他方の端子板２５ｂは、負極端子となる渦巻ばね２１ｓに接続自在になっている（図３（Ｃ）参照）。なお、他方の端子板２５ｂは、電池ケース２５と開閉自在に図示しないヒンジで連結している。そして、他方の端子板２５ｂを開いて、電池２３を交換できる。
【００６８】
図１を参照すると、電池ケース２５は、第２筒体２１２の開口側から、第２筒体２１２の内部に収容できる。そして、図３（Ｃ）を参照すると、電池ケース２５は、第２筒体２１２の内壁から突出した複数のリブ２１４で外周が保持されている。
【００６９】
［共用操作棒用送風機の作用］
次に、実施形態による送風機１０の操作方法を説明しながら、送風機１０の作用及び効果を説明する。
【００７０】
最初に、図４を参照して、共用操作棒７のジョイント部７４に接続具１としておく。次に、図１から図３を参照して、切り換えスイッチ２４を一方の方向に移動することで、電池２３からモータ２２に電力を供給する接続状態に切り換えることができる。
【００７１】
図３（Ｃ）を参照して、モータ２２が駆動すると、ファン２２ｆが回転して、複数の吸気口２１ｂから空気を吸気し、この空気を複数の送風口２１ａに向かって送風できる。
【００７２】
図１又は図３を参照すると、実施形態による送風機１０は、ファン２２ｆを回転し、複数の送風口２１ａに向かって送風できるモータ２２を筒形ケース２１の内部に備えているので、共用操作棒７の手許部７３を把持した手Ｈに送風できる（図４参照）。そして、作業員の体感温度を下げることができる。
【００７３】
又、実施形態による送風機１０は、バケットＢの内部にこもった熱を大気に放出する効果も期待できる（図９参照）。
【００７４】
本発明による共用操作棒用送風機は、次のような効果が期待できる。
（１）炎天下などの作業でも、作業員の体感温度を下げることができる。
（２）バケットの内部での作業が停滞しない。
（３）バケットの内部で送風されながら作業できる。
【００７５】
本発明は、共用操作棒に接続自在な送風機を開示したが、本発明の共用操作棒用送風機は、絶縁ヤットコなどの絶縁操作棒に適用することが期待される。
【符号の説明】
【００７６】
１  接続具
２  送風機本体
７  共用操作棒
１０  送風機（共用操作棒用送風機）
２１  筒形ケース
２１ａ  送風口
２１ｂ  吸気口
２２  モータ
２２ｆ  ファン
２３  電池
７１  工具部
７４  ジョイント部
【図１】
2018082518.tif 000003
【図２】
2018082518.tif 000004
【図３】
2018082518.tif 000005
【図４】
2018082518.tif 000006
【図５】
2018082518.tif 000007
【図６】
2018082518.tif 000008
【図７】
2018082518.tif 000009
【図８】
2018082518.tif 000010
【図９】
2018082518.tif 000011